(57)【要約】【課題】操作者のＳＷ操作によってメッセージの出力中でも出力されているメッセージの速度を変更、一時停止、停止を可能とした給湯器制御装置を提供することを目的とする。【解決手段】操作部１と、スイッチ機能部２と、音声制御部６と、音声機能部８と、音声出力部１０とを備え、操作者が音声出力中に速度調整のスイッチを操作することにより、表示機能部８が表示データの出力速度を調整するので出力されるメッセージの速度が調節されることとなる。【選択図】図１
2006064236.tif 000002
【特許請求の範囲】
【請求項１】
操作者がスイッチ操作を行い所望の動作を入力する操作部と、各スイッチが押下された際にそれぞれのスイッチに該当する個別の機能を割り当てるスイッチ機能部と、それぞれのスイッチに該当する内部データを管理する内部データ管理部と、スイッチ機能部からどのスイッチを押下されたかの信号を受け取りその機能に該当するデータの表示を管理する表示制御部と、接続された給湯器本体との通信を行う通信部と、スイッチ機能部からどのスイッチを押下されたかの信号を受け取りその機能に該当する音声データの出力を管理する音声制御部と、表示データを作成する表示機能部と、音声データを作成する音声機能部と、表示機能部からのメッセージなどの表示データを表示する表示部と、音声機能部からの音声データを出力する音声出力部からなる給湯器制御装置。
【請求項２】
操作者が出力されているメッセージの速度を調節する調節ＳＷを具備し、操作者のＳＷ操作によってメッセージが出力中でも出力されているメッセージの速度を変更することができる請求項１に記載の給湯器制御装置。
【請求項３】
操作者が出力されているメッセージの一時停止をする一時停止ＳＷを具備し、操作者のＳＷ操作によって、メッセージの出力中でも出力されているメッセージを一時停止することができる請求項１または２に記載の給湯器制御装置。
【請求項４】
操作者が出力されているメッセージの停止をする停止ＳＷを具備し、操作者のＳＷ操作によって、メッセージの出力中でも出力されているメッセージを停止することができる請求項１〜３のいずれか１項に記載の給湯器制御装置。
【請求項５】
操作者が出力されているメッセージの録画をする録画ＳＷ、録画したメッセージを再生する再生ＳＷを具備し、操作者のＳＷ操作によって、出力されたメッセージをいつでも録画し、再生して見ることができる請求項１〜４のいずれか１項に記載の給湯器制御装置。
【発明の詳細な説明】
【技術分野】
【０００１】
本発明は、操作者のスイッチ操作によって指示された動作を、液晶等の表示装置に反映させて表示し、同時に機器本体へも操作内容を送受信し、本体制御を行う制御装置に関するもので、特に給湯器の出湯温度を上昇、下降させたりすることが可能な給湯器制御装置に関するものである。
【背景技術】
【０００２】
従来、この種の給湯器制御装置は、図３に示すように、操作部１０１と、ＳＷ操作部１０２と、内部データ管理部１０３と、通信部１０４と、表示制御部１０５と、表示部１０６と、音声制御部１０７と、音声出力部１０８から構成されたものがある（例えば、特許文献１参照）。
【特許文献１】特開２００１−２７２０９６号公報
【発明の開示】
【発明が解決しようとする課題】
【０００３】
しかしながら、従来の給湯器制御装置では、メッセージの出力の速度の調節は、例えばメニューＳＷ操作などにより別途設定してからでないと、所望の速度にすることができず、メッセージ出力を見ながら所望の速度に調整できることはできないものとなっていた。また、メッセージの出力はその場限りのもであり、事後に確認しようにも、確認の手段がなかった。
【０００４】
本発明は、前記従来の課題を解決するもので、操作者のＳＷ操作によってメッセージの出力中でも出力されているメッセージの速度を変更、一時停止、停止を可能とし、また、操作者のＳＷ操作によってメッセージの出力を記録、再生し事後でも出力されたメッセージの確認を可能とした給湯器制御装置を提供することを目的とする。
【課題を解決するための手段】
【０００５】
前記従来の課題を解決するために、本発明の給湯器制御装置は、操作者がスイッチ操作を行い所望の動作を入力する操作部と、各スイッチが押下された際にそれぞれのスイッチに該当する個別の機能を割り当てるスイッチ機能部と、それぞれのスイッチに該当する内部データを管理する内部データ管理部と、スイッチ機能部からどのスイッチを押下されたかの信号を受け取りその機能に該当するデータの表示を管理する表示制御部と、接続された給湯器本体との通信を行う通信部と、スイッチ機能部からどのスイッチを押下されたかの信号を受け取りその機能に該当する音声データの出力を管理する音声制御部と、表示データを作成する表示機能部と、音声データを作成する音声機能部と、表示機能部からのメッセージなどの表示データを表示する表示部と、音声機能部からの音声データを出力する音声出力部で構成したものである。
【０００６】
これによって、スイッチ機能部が、操作者によって操作部から入力された入力されたスイッチの機能を同定し、どの機能が選択されたかを知ることが出来る。また、通信部が本体機器からデータの受信行いどの機能が動作したか知ることができる。
【発明の効果】
【０００７】
本発明の給湯器制御装置は、操作者のＳＷ操作によってメッセージの出力中でも出力されているメッセージの速度を変更することができる。
【発明を実施するための最良の形態】
【０００８】
第１の発明は、操作者がスイッチ操作を行い所望の動作を入力する操作部と、各スイッチが押下された際にそれぞれのスイッチに該当する個別の機能を割り当てるスイッチ機能部と、それぞれのスイッチに該当する内部データを管理する内部データ管理部と、スイッチ機能部からどのスイッチを押下されたかの信号を受け取りその機能に該当するデータの表示を管理する表示制御部と、接続された給湯器本体との通信を行う通信部と、スイッチ機能部からどのスイッチを押下されたかの信号を受け取りその機能に該当する音声データの出力を管理する音声管理部と、接続された給湯器本体との通信を行う通信部と、表示データを作成する表示機能部と、音声データを作成する音声機能部と、表示機能部からのメッセージなどの表示データを表示する表示部と、音声機能部からの音声データを出力する音声出力部を有する。
【０００９】
そして、スイッチ機能部が、操作者によって操作部から入力された入力されたスイッチの機能を同定し、どの機能が選択されたかを知ることが出来る。また、通信部が本体機器からデータの受信行いどの機能が動作したか知ることができる。
【００１０】
第２の発明は、特に、第１の発明の給湯器制御装置に、操作者が出力されているメッセージの速度を調節する調節ＳＷを具備することにより、操作者のＳＷ操作によってメッセージの出力中でも出力されているメッセージの速度を変更することができる。
【００１１】
第３の発明は、特に、第１または第２の発明の給湯器制御装置に、操作者が出力されているメッセージの一時停止をする一時停止ＳＷを具備することにより、操作者のＳＷ操作によって、メッセージの出力中でも出力されているメッセージを一時停止することができる。
【００１２】
第４の発明は、特に、第１〜３のいずれか１項記載の給湯器制御装置に、操作者が出力されているメッセージの停止をする停止ＳＷを具備することにより、操作者のＳＷ操作によって、メッセージの出力中でも出力されているメッセージを停止することができる。
【００１３】
第５の発明は、特に、第１〜４のいずれか１項記載の給湯器制御装置に、操作者が出力されているメッセージの録画をする録画ＳＷ、録画したメッセージを再生する再生ＳＷを具備することにより、出力されたメッセージをいつでも録画し、再生して見ることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における給湯器制御装置の構成図である。
【００１６】
図１において、１は操作部、２はスイッチ機能部、３は内部データ管理部、４は表示制御部、５は通信部、６は音声制御部、７は表示機能部、８は音声機能部、９は表示部、１０は音声出力部である。
【００１７】
以上のように構成された給湯器制御装置について、以下その動作、作用を説明する。
【００１８】
まず、操作者は操作部１からスイッチ操作を行い所望の動作を入力する。
【００１９】
スイッチ機能部２は、割り当てられている各スイッチ個別の機能を検出し、割り当てられた機能信号を表示制御部４へ出力する。
【００２０】
同時にスイッチ機能部２は、割り当てられている各スイッチ個別の機能を検出し、割り当てられた機能信号を音声制御部６へ出力する。
【００２１】
また、内部データ管理部３は、スイッチに該当する内部データを管理し、必要に応じて内部データ（例えば給湯温度）の更新を行い、内部データを表示機能部７に出力する。
【００２２】
また、通信部５は給湯器本体、あるいは接続されている他制御装置からの通信データを受け取り、内部データ管理部３に出力する。内部データ管理部３は、操作情報と同様に必要に応じて通信情報から内部データを更新し、表示機能部７へ出力する。
【００２３】
更に表示機能部７は、内部データ管理部３からの信号により表示させるデータの作成を行い、表示部９へ出力する。その際、表示制御部４からの信号により、実際に点灯させる場合は本来のメッセージデータの出力を行い、表示させない場合はブランクデータを出力する。
【００２４】
表示部９は表示機能部７からのデータを表示する。
【００２５】
また、内部データ管理部３は、スイッチに該当する内部データを管理し、必要に応じて内部データ（例えば給湯温度）の更新を行い、内部データを音声機能部８に出力する。
【００２６】
また、通信部５は給湯器本体、あるいは接続されている他制御装置からの通信データを受け取り、内部データ管理部３に出力する。内部データ管理部３は、操作情報と同様に必要に応じて通信情報から内部データを更新し、音声機能部８へ出力する。
【００２７】
更に音声機能部８は、内部データ管理部３からの信号により出力させる音声データの作成を行い、音声出力表示部１０へ出力する。その際、音声制御部６からの信号により、実際に出力させる場合は本来のデータの出力を行い、出力させない場合は無音データを出力する。
【００２８】
音声出力部１０は音声機能部８からの音声データを出力する。
【００２９】
以上のように、本実施の形態においては操作者のスイッチ操作を適当なメッセージデータに割り当ててデータを表示することにより、スイッチ操作に応じたメッセージを出力することができる。
【００３０】
（実施の形態２）
図２は、本発明の第２の実施の形態の給湯器制御装置の構成図である。
【００３１】
図２において、２１加速スイッチ、２２は減速スイッチ、２３はＳＷ操作部、２４は表示制御部、２５は表示機能部、２６は表示部である。
【００３２】
以上のように構成された給湯器制御装置について、以下その動作、作用を説明する。
【００３３】
操作者は表示部２６からメッセージが出力されているとき、その速度を早めようと思い、加速スイッチ２１を操作する。
【００３４】
あるいは操作者は表示部２６からメッセージが出力されているとき、その速度を遅めようと思い、還俗スイッチ２２を操作する。
【００３５】
加速スイッチ２１、または減速スイッチ２２の操作は、ＳＷ操作部２３によってそのスイッチを同定する信号に変換され表示制御部２４に出力される。
【００３６】
表示機能部２４は、入力された信号から、表示データの加速、減速を制御する信号を表示機能部２５へ出力する。表示機能部２５は、現在出力している表示データに加速、減速を制御する信号を加味して表示部２６へ表示データを出力する。
【００３７】
以上のように、本実施の形態においては操作者のスイッチ操作により、スイッチ操作に応じた速度でメッセージを出力することができる。
【００３８】
（実施の形態３）
図２は、本発明の第３の実施の形態の給湯器制御装置の構成図である。
【００３９】
図２において、３１は一時停止スイッチ、２３はＳＷ操作部、２４は表示制御部、２５は表示機能部、２６は表示部である。
【００４０】
以上のように構成された給湯器制御装置について、以下その動作、作用を説明する。
操作者は表示部２６からメッセージが出力されているとき、その出力を一時停止しよう思い、一時停止スイッチ３１を操作する。
【００４１】
一時停止スイッチ３１の操作は、ＳＷ操作部２３によってそのスイッチを同定する信号に変換され表示制御部２４に出力される。
【００４２】
表示機能部２４は、入力された信号から、表示データの一時停止を制御する信号を表示機能部２５へ出力する。表示機能部２５は、一時停止を制御する信号により、現在表示部２６へ出力している表示データを一時停止する。
【００４３】
以上のように、本実施の形態においては操作者のスイッチ操作により、メッセージの出力を一時停止することができる。
【００４４】
（実施の形態４）
図２は、本発明の第４の実施の形態の給湯器制御装置の構成図である。
【００４５】
図２において、４１は停止スイッチ、２３はＳＷ操作部、２４は表示制御部、２５は表示機能部、２６は表示出力部である。
【００４６】
以上のように構成された給湯器制御装置について、以下その動作、作用を説明する。
操作者は表示部２６からメッセージが出力されているとき、その出力を停止しよう思い、停止スイッチ４１を操作する。
【００４７】
停止スイッチ４１の操作は、ＳＷ操作部２３によってそのスイッチを同定する信号に変換され表示制御部２４に出力される。
【００４８】
表示機能部２４は、入力された信号から、表示データの停止を制御する信号を表示機能部２５へ出力する。表示機能部２５は、停止を制御する信号により、現在表示部２６へ出力している表示データを停止する。
【００４９】
以上のように、本実施の形態においては操作者のスイッチ操作により、メッセージの出力を停止することができる。
【００５０】
（実施の形態５）
図２は、本発明の第５の実施の形態の給湯器制御装置の構成図である。
【００５１】
図２において、５１は録画スイッチ、５２は再生スイッチ、２３はＳＷ操作部、２４は表示制御部、２５は表示機能部、２６は表示部、５３は表示記録部である。
【００５２】
以上のように構成された給湯器制御装置について、以下その動作、作用を説明する。
【００５３】
操作者は表示出力部２６からメッセージが出力されているとき、その出力を録音しよう思い、録画スイッチ５１を操作する。
【００５４】
録画スイッチ５１の操作は、ＳＷ操作部２３によってそのスイッチを同定する信号に変換され表示制御部２４に出力される。
【００５５】
表示機能部２４は、入力された信号から、表示データの録音を制御する信号を表示機能部２５へ出力する。表示機能部２５は、録画を制御する信号により、現在表示部２６へ出力している表示データを表示記録部５３にも出力する。
【００５６】
表示記録部５３は、この表示データを記録する。
【００５７】
また操作者は、記録されている表示データを再生しようと思い、再生スイッチ５２を操作する。
【００５８】
再生スイッチ５２の操作は、ＳＷ操作部２３によってそのスイッチを同定する信号に変換され表示制御部２４に出力される。
【００５９】
表示機能部２４は、入力された信号から、表示データの再生を制御する信号を表示機能部２５へ出力する。表示機能部２５は、再生を制御する信号により、再生信号を表示記録部５３へ出力する。
【００６０】
表示記録部５３は、再生信号により記録されている表示データを表示部２６へ出力する。
【００６１】
表示部２６は、この表示データを出力する。
【００６２】
以上のように、本実施の形態においては操作者のスイッチ操作により、メッセージの出力を録画、再生することができる。
【産業上の利用可能性】
【００６３】
以上のように、本発明にかかる給湯器制御装置は、操作者のＳＷ操作によってメッセージの出力中でも出力されているメッセージの速度を変更することが可能となるので、トランシーバーなどの通信機器等の用途にも適用できる。
【図面の簡単な説明】
【００６４】
【図１】本発明の実施の形態１における給湯器制御装置の構成図
【図２】本発明の実施の形態２、３、４、５における給湯器制御装置の構成図
【図３】従来の給湯器制御装置の構成図
【符号の説明】
【００６５】
１  操作部
２  スイッチ機能部
３  内部データ管理部
４  表示制御部
５  通信部
６  音声制御部
７  表示機能部
８  音声機能部
９  表示部
１０  音声出力部
【図１】
2006064236.tif 000003
【図２】
2006064236.tif 000004
【図３】
2006064236.tif 000005